(57)【要約】【課題】  放送信号の周波数を増やすことなく、かつ、建物へ外部空中線を設置することなく、放送装置からの無線放送を、弱電界地域及び電波の不感地域へ確実に伝達する無線放送中継装置を提供する。【解決手段】  無線放送中継装置１４は、受信局選択信号を記憶している制御信号処理・検出部１０と、送信局選択信号を記憶している変換信号格納部１７と、受信部９によって受信された無線放送に付加されている局選択信号が制御信号処理・検出部１０に記憶されている場合、その局選択信号を、上記送信局選択信号に変換する時差再送信制御部１６と、送信局選択信号が付加されている無線放送を送信する送信部１５とを備える。【選択図】      図１
2007006403.tif 000002
【特許請求の範囲】
【請求項１】
送信装置からの無線放送を受信装置へ伝達する無線放送中継装置であって、
前記無線放送を処理すべき場合を示す識別子である受信識別子を記憶している受信識別子記憶手段と、
前記無線放送の送信先を示す識別子である送信識別子を記憶している送信識別子記憶手段と、
受信相手を特定する識別子が付加されている前記無線放送を受信する受信手段と、
受信された前記無線放送に付加されている識別子が前記受信識別子記憶手段に記憶されているか否かを判定する判定手段と、
受信された前記無線放送に付加されている識別子が前記受信識別子記憶手段に記憶されていると前記判定手段によって判定された場合、受信された前記無線放送に付加されている識別子を、前記送信識別子記憶手段に記憶されている前記送信識別子に変換する変換手段と、
前記変換手段によって得られた、前記送信識別子が付加されている前記無線放送を送信する送信手段と
を備える無線放送中継装置。
【請求項２】
更に、前記受信された前記無線放送を蓄積媒体に蓄積する蓄積手段を備え、
前記変換手段は、前記蓄積媒体に蓄積された前記無線放送に前記送信識別子を付加することにより、受信された前記無線放送に付加されている識別子を前記送信識別子に変換する
請求項１記載の無線放送中継装置。
【請求項３】
前記送信識別子記憶手段は、複数の前記送信識別子を記憶しており、
前記送信手段は、各前記送信識別子が付加されている前記無線放送を、時間間隔をおいて送信する
請求項１記載の無線放送中継装置。
【請求項４】
前記受信識別子記憶手段は、複数の前記受信識別子を記憶しており、
前記送信識別子記憶手段は、各前記受信識別子に対応付けられた複数の前記送信識別子を記憶しており、
前記変換手段は、受信された前記無線放送に付加されている識別子を、受信された前記無線放送に付加されている識別子と同じ前記受信識別子に対応付けられた前記送信識別子に変換する
請求項１記載の無線放送中継装置。
【発明の詳細な説明】
【技術分野】
【０００１】
本発明は、送信装置からの無線放送を受信装置へ伝達する無線放送中継装置に関する。
【背景技術】
【０００２】
近年、道路の高架化や、集合住宅及び施設等の建造物の高層化が進み、従来の強電界地域が弱電界地域へと変化し、更に弱電界地域が電波の不感地域へと変化している。そのような地域では、電波伝搬状況の悪化に伴い、地方自治体が行なう防災行政無線放送の各家庭における受信状況が悪化し、放送内容が聞き取れない等の不具合が増加している。住民の生命と財産とを守ることを目的として行なわれる防災行政無線放送において、このような事態はきわめて深刻な問題である。
【０００３】
電波伝搬の改善策として、住宅等の建物への外部空中線の設置が有効とされてきたが、戸建住宅の新築やリフォームも進んでおり、美観上の問題から、外部空中線の設置に対し難色を示す家庭も多くみられる。そのため、外部空中線の設置に替わる新たな電波伝搬の改善方法が求められている。
【０００４】
上記のような住宅等の各建物に外部空中線を設置するといった個別の対応よりも、抜本的な改善策として、中継用周波数を追加し、中継局を新たに設置する方法も考えられる。
【特許文献１】特開平５−３００５１号公報
【特許文献２】特開平５−２１８９８８号公報
【発明の開示】
【発明が解決しようとする課題】
【０００５】
しかしながら、放送信号がデジタル化に移行している現在においては、アナログ放送の周波数の新規取得は非常に困難な状況にある。
【０００６】
本発明は、上記課題を考慮し、放送信号の周波数を増やすことなく、かつ、建物へ外部空中線を設置することなく、送信装置からの無線放送を、弱電界地域及び電波の不感地域へ確実に伝達する無線放送中継装置を提供することを目的とする。
【課題を解決するための手段】
【０００７】
上記課題を解決し上記目的を達成するために、本発明の無線放送中継装置は、送信装置からの無線放送を受信装置へ伝達する装置であって、前記無線放送を処理すべき場合を示す識別子である受信識別子を記憶している受信識別子記憶手段と、前記無線放送の送信先を示す識別子である送信識別子を記憶している送信識別子記憶手段と、受信相手を特定する識別子が付加されている前記無線放送を受信する受信手段と、受信された前記無線放送に付加されている識別子が前記受信識別子記憶手段に記憶されているか否かを判定する判定手段と、受信された前記無線放送に付加されている識別子が前記受信識別子記憶手段に記憶されていると前記判定手段によって判定された場合、受信された前記無線放送に付加されている識別子を、前記送信識別子記憶手段に記憶されている前記送信識別子に変換する変換手段と、前記変換手段によって得られた、前記送信識別子が付加されている前記無線放送を送信する送信手段とを備える。
【０００８】
本発明の無線放送中継装置は、更に、前記受信された前記無線放送を蓄積媒体に蓄積する蓄積手段を備え、前記変換手段は、前記蓄積媒体に蓄積された前記無線放送に前記送信識別子を付加することにより、受信された前記無線放送に付加されている識別子を前記送信識別子に変換してもよい。
【０００９】
また、前記送信識別子記憶手段は、複数の前記送信識別子を記憶しており、前記送信手段は、各前記送信識別子が付加されている前記無線放送を、時間間隔をおいて送信してもよい。
【００１０】
また、前記受信識別子記憶手段は、複数の前記受信識別子を記憶しており、前記送信識別子記憶手段は、各前記受信識別子に対応付けられた複数の前記送信識別子を記憶しており、前記変換手段は、受信された前記無線放送に付加されている識別子を、受信された前記無線放送に付加されている識別子と同じ前記受信識別子に対応付けられた前記送信識別子に変換してもよい。
【００１１】
更に、本発明の無線放送中継装置の特徴的な構成手段をステップとする方法として実現したり、それらのステップをコンピュータに実行させるプログラムとして実現することもできる。そのプログラムは、ＣＤ−ＲＯＭなどの記録媒体や通信ネットワークなどの伝送媒体を介して流通させることもできる。
【発明の効果】
【００１２】
本発明は、放送信号の周波数を増やすことなく、かつ、建物へ外部空中線を設置することなく、送信装置からの無線放送を、弱電界地域及び電波の不感地域へ確実に伝達する無線放送中継装置を提供することができる。
【発明を実施するための最良の形態】
【００１３】
以下に、本発明の実施の形態を図面を参照して説明する。
先ず、本実施の形態の無線システムの構成を説明する。図１は、本実施の形態の無線システムのブロック図である。本実施の形態の市町村防災行政無線システムは、一つの周波数を用いて市町村防災行政無線放送を送受信するシステムであって、図１に示すように、親設備局５と、無線放送中継装置１４と、戸別受信機１８とで構成される。無線放送は音声による放送である。
【００１４】
親設備局５は、無線放送の発信元であって、受信相手を特定する識別子である局選択信号を付加して無線放送を放送する。親設備局５は、無線送受信部２と、通信制御部３と、操作部４とで構成されている。通信制御部３は、無線放送を発信しようとする者の操作部４に対する操作によって、受信相手を特定する上記局選択信号を無線放送に付加し、無線送受信部２は、通信制御部３によって得られた、受信相手を特定する上記局選択信号が付加された無線放送を送信する。例えば、親設備局５は、図２に示すように、受信相手を特定する局選択信号（１）〜（５）のうちの一個又は複数個を付加した無線放送を発信する。
【００１５】
無線放送中継装置１４は、親設備局５からの無線放送を中継して戸別受信機１８へ伝達する装置であって、図１に示すように、受信空中線６と、送信空中線７と、同軸切替部８と、受信部９と、制御信号処理・検出部１０と、音声録音制御部１２と、音声録音蓄積部１３と、送信部１５と、時差再送信制御部１６と、変換信号格納部１７とで構成されている。
【００１６】
受信空中線６及び送信空中線７は、無線放送を受信又は送信するための手段である。同軸切替部８は信号の切替手段である。受信部９は親設備局５からの無線放送を受信する。制御信号処理・検出部１０は、無線放送を処理すべき場合を示す識別子である受信局選択信号を一個又は複数個記憶しており、受信された無線放送に付加されている局選択信号が自らが記憶している何れかの受信局選択信号と一致するか否かを判定する。例えば、制御信号処理・検出部１０は、図２の第１段中継局の欄の下方の左側に記載されているように、受信局選択信号として局選択信号（５）を記憶している。
【００１７】
音声録音制御部１２は、受信された無線放送に付加されている局選択信号が制御信号処理・検出部１０に記憶されている何れかの受信局選択信号と一致すると制御信号処理・検出部１０によって判定された場合、受信された無線放送を蓄積媒体である音声録音蓄積部１３に蓄積する。変換信号格納部１７は、無線放送の送信先を示す識別子である送信局選択信号を一個又は複数個記憶している。例えば、変換信号格納部１７は、図２の第１段中継局の欄の下方の右側に記載されているように、送信局選択信号として局選択信号（１０）と局選択信号（１１）とを記憶している。
【００１８】
時差再送信制御部１６は、受信された無線放送に付加されている局選択信号が制御信号処理・検出部１０に記憶されている何れかの受信局選択信号と一致すると制御信号処理・検出部１０によって判定された場合、音声録音蓄積部１３に蓄積された無線放送に、変換信号格納部１７に記憶されている送信局選択信号を付加する。これにより、時差再送信制御部１６は、受信された無線放送に付加されていた局選択信号を、送信局選択信号に変換する。送信部１５は、時差再送信制御部１６によって得られた、送信局選択信号が付加されている無線放送を送信する。
【００１９】
なお、制御信号処理・検出部１０は本発明の無線放送中継装置の受信識別子記憶手段及び判定手段の一例である。変換信号格納部１７は本発明の無線放送中継装置の送信識別子記憶手段の一例である。受信部９は本発明の無線放送中継装置の受信手段の一例である。時差再送信制御部１６は本発明の無線放送中継装置の変換手段の一例である。送信部１５は本発明の無線放送中継装置の送信手段の一例である。音声録音制御部１２は本発明の無線放送中継装置の蓄積手段の一例である。
【００２０】
また、制御信号処理・検出部１０及び変換信号格納部１７には、それらに記憶されている各種定数（遅延時間、局選択信号、及び周波数等）を設定したり変更するための保守設定用ノートＰＣ１１が接続される。
【００２１】
無線放送中継装置１４は、例えば構造的には、屋外型の市販されているステンレス製の堅牢な端子盤に収納されており、内部には更に、２４時間以上の停電に耐えるバッテリーと充電回路とが装備されている。
【００２２】
次に、無線放送中継装置１４の動作を説明する。
無線放送中継装置１４では、受信部９が親設備局５からの無線放送を受信空中線６を介して受信し復調する。次に、制御信号処理・検出部１０は、親設備局５からの無線放送に付加されている局選択信号を検出し、検出した信号があらかじめ制御信号処理・検出部１０内部に登録されている局選択信号（受信局選択信号）と一致しているか否かを判定する。図２に示す第１中継局の場合、親設備局５からの無線放送に付加されている局選択信号は局選択信号（１）〜（５）であり、制御信号処理・検出部１０内部に登録されている局選択信号（受信局選択信号）は局選択信号（５）である。したがって、制御信号処理・検出部１０は、一致すると判定する。
【００２３】
このように一致したとの判定結果が得られた場合、音声録音制御部１２に開局制御信号が出力され、その信号を受けた音声録音制御部１２は録音開始信号を音声録音蓄積部１３に出力し、受信された無線放送の蓄積を命令する。音声録音蓄積部１３は、受信部９から音声録音制御部１２を経由した無線放送を録音する。
【００２４】
続いて、無線放送が終了し、閉局信号を受信し復調した受信部９は、閉局制御信号を音声録音制御部１２へ出力し、音声録音制御部１２は録音終了信号を音声録音蓄積部１３に出力して録音の中止を命令する。これにより、音声録音蓄積部１３による無線放送の録音は即座に中止される。その結果、音声録音蓄積部１３では音声放送がデジタルデータとして蓄積される。
【００２５】
無線放送が終了し更にその録音が終了してから例えば１分等の所定の時間が経過した後、時差再送信制御部１６は、音声録音蓄積部１３にデジタルデータとして録音された音声放送に、変換信号格納部１７に格納されている送信局選択信号を付加する。例えば、図２に示す第１中継局の場合、時差再送信制御部１６は、録音された音声放送に局選択信号（１０）と局選択信号（１１）とを付加する。これにより、局選択信号のみが変換された無線放送が得られる。送信部１５は、変換信号格納部１７によって得られた無線放送、すなわち局選択信号のみが変換された無線放送を送信空中線７から送信する。
【００２６】
変換された局選択信号（送信局選択信号）は、電波の不感地区に対応している。すなわち、不感地区に設置してある戸別受信機１８には、例えば図２の第１中継局に記載されているように、無線放送を受信すべき場合を示す局選択信号として局選択信号（１０）が割り当てられている。このように、無線放送中継装置１４からの無線放送に付加されている局選択信号（１０）と戸別受信機１８に割り当てられている局選択信号（１０）とが一致している場合、戸別受信機１８は無線放送中継装置１４から送信された強い電波の無線放送を確実に受信する。すなわち、親設備局５からの無線放送は、戸別受信機１８に確実に伝達される。これにより、電波の不感地区に居る者は親設備局５からの無線放送を明瞭に聞くことが可能になる。したがって、無線放送中継装置１４により、電波の不感地区に居る者であっても親設備局５からの無線放送が必ず聞こえ、重要な情報を確実に伝達できるようになっており、防災行政無線放送の更なる信頼度向上の効果に大きな期待がもてる。
【００２７】
なお、親設備局５及び無線放送中継装置１４は、無線放送を受信すべき相手先を特定する局選択信号を用いて無線放送を送信するので、一つの受信機が親設備局５からの無線放送と無線放送中継装置１４からの無線放送との両方を音出力することはない。つまり、一つの受信機は一回のみ無線放送を音出力するので、その受信機の近傍に居る者は同じ内容の無線放送を複数回聞くことにはならず、ストレスを感じない。
【００２８】
また、図２の右方に示すように、第２段中継局を設けて局選択信号の組み合わせ方法を工夫すれば、１段中継だけでなく多段中継も可能となり、不感地帯を撲滅することが可能になる。
【００２９】
例えば、図２の右方の第２段中継局の例では、第２段中継局の無線放送中継装置１４に割り当てられている局選択信号が局選択信号（１１）であり、図２の左方の第１段中継局の無線放送中継装置１４からの無線放送に付加されている局選択信号（１１）と一致する。したがって、図２の右方の第２段中継局の無線放送中継装置１４は、図２の左方の第２段中継局の無線放送中継装置１４と同様の動作を行なう。つまり、第２段中継局の無線放送中継装置１４は、局選択信号を局選択信号（１２）に変更して無線放送を送信する。第２段中継局の不感地区の戸別受信機１８に割り当てられている局選択信号が局選択信号（１２）であるので、その戸別受信機１８は第２段中継局の無線放送中継装置１４から送信された強い電波の無線放送を確実に受信する。すなわち、親設備局５からの無線放送は、第２段中継局の不感地区の戸別受信機１８に確実に伝達される。これにより、第２段中継局の不感地区に居る者は親設備局５からの無線放送を明瞭に聞くことができる。
【００３０】
上述したように、無線放送中継装置１４は、同報無線放送における、不感地域と弱電界地域を、強電界地域へと電波伝搬の改善を行なうことができる。それに伴い外部空中線を設置する必要がなく、きわめて有効に課題解決が図れる。
【００３１】
無線放送中継装置１４は、単一波で無線中継を可能にするため、現実的には不可能であった、新たな中継用周波数を取得する必要もなく、現所有の周波数を有効利用することで課題解決が図れる特徴を有している。ここで、単一波で無線中継を可能にするために、無線放送中継装置１４は、親設備局５からの無線放送を一旦録音した後に、その無線放送を、受信した際と同じ周波数により再送する。つまり、時差再放送を行なう。なお、上述した多段中継を行なう場合、使用可能な周波数が二つあれば、無線放送中継装置１４は、受信時と送信時に使用する周波数を変えて、親設備局５からの無線放送を録音することなく、局選択信号を変換するのみで無線放送を下流側に伝達してもよい。
【００３２】
無線放送中継装置１４は、既設の親局設備に連動した局選択信号を採用し、装置１４自身が持つ呼出信号変換機能によって、弱電界地域や不感地域の各家庭に設置されている戸別受信機１８に対し個々の改造を加えることなく、本装置１４を設置するだけで、容易にかつ比較的安価で課題解決が図れる。また、費用対効果も期待できる。
【００３３】
なお、無線放送中継装置１４は、送信局選択信号を複数保持している場合、保持している複数の送信局選択信号を同時に無線放送に付加しなくてもよい。例えば、図２の第１段中継局の場合、送信局選択信号として局選択信号（１０）と局選択信号（１１）とが存在するが、無線放送中継装置１４は、先ず局選択信号（１０）のみを付加して無線放送を送信し、１分等の所定の時間経過後に、局選択信号（１１）のみを付加して無線放送を送信してもよい。これにより、局選択信号（１０）及び局選択信号（１１）が割り当てられている受信機がともに屋外に設置されているスピーカである場合、それらが同時に無線放送を受信し音出力を行なう場合に生じる可能性があるエコー現象を防止することができる。
【００３４】
また、図３に示すように、無線放送中継装置１４は、複数の受信局選択信号を記憶しているとともに、各受信局選択信号に対応付けられた複数の受信局選択信号を記憶していてもよい。これにより、無線放送中継装置１４は、受信時の局選択信号に応じて、送信先を変えて無線放送を中継する。例えば、親設備局５からの無線放送に付加されている局選択信号が局選択信号（２１）であれば、無線放送中継装置１４は、局選択信号を局選択信号（３１）と局選択信号（３２）とに変換して無線放送を送信する。他方、親設備局５からの無線放送に付加されている局選択信号が局選択信号（２２）であれば、無線放送中継装置１４は、局選択信号を局選択信号（３５）に変換して無線放送を送信する。これにより、親設備局５を操作する無線放送の発信者は、無線放送の最終的な受信相手を特定して無線放送を送信することができる。
【産業上の利用可能性】
【００３５】
本発明の無線放送中継装置は、市町村防災行政無線システムにおける中継装置等として有用である。
【図面の簡単な説明】
【００３６】
【図１】本発明の実施の形態の、局選択信号変換方式による単一波多段接続時差再送信を行なう無線放送中継装置１４を含む無線システムのブロック図
【図２】局選択信号変換方式による単一波多段接続時差再送信を行なう無線放送中継装置１４の概要を示す図
【図３】複数の受信局選択信号と、各受信局選択信号と対応付けられた複数の送信局選択信号とを示す図
【符号の説明】
【００３７】
１    送受用空中線
２    無線送受信部
３    通信制御部
４    操作部
５    親局設備
６    受信空中線
７    送信空中線
８    同軸切替部
９    受信部
１０  制御信号処理・検出部
１１  保守設定用ノートＰＣ
１２  音声録音制御部
１３  音声録音蓄積部
１４  局選択信号変換方式による単一波多段接続時差再送信を行なう無線放送中継装置
１５  送信部
１６  時差再送信制御部
１７  変換信号格納部
１８  戸別受信機
【図１】
2007006403.tif 000003
【図２】
2007006403.tif 000004
【図３】
2007006403.tif 000005